(57)【特許請求の範囲】
【請求項１】
画データをメモリに一旦蓄積し、指定された相手先へ前記メモリ中の画データを送信するメモリ送信手段を備えた通信装置において、
前記メモリに蓄積した画データのメモリ送信対象のファイル番号を表示する表示手段と、前記メモリ送信手段によるメモリ送信がスタートすると前記表示手段にメモリ送信対象のファイル番号を表示し、該メモリ送信対象のファイル番号の画データのメモリ送信が開始された段階でメモリ送信を中断するストップキーが押下されるとメモリ送信を中断し、メモリ送信の中止を実行するファイル消去キーが押下されると、前記表示手段に表示されたメモリ送信対象のファイル番号を消去してメモリ送信を中止し、そのメモリ送信の相手先へ表示用の誤送信メッセージを送信する誤送信メッセージ送信手段を設けたことを特徴とする通信装置。
【請求項２】
画データをメモリに一旦蓄積し、指定された相手先へ前記メモリ中の画データを送信するメモリ送信手段を備えた通信装置において、
前記メモリに蓄積した画データのメモリ送信対象のファイル番号を表示する表示手段と、前記メモリ送信手段によるメモリ送信がスタートすると前記表示手段にメモリ送信対象のファイル番号を表示し、該メモリ送信対象のファイル番号の画データのメモリ送信が開始された段階でメモリ送信を中断するストップキーが押下されるとメモリ送信を中断し、メモリ送信の中止を実行するファイル消去キーが押下されると、前記表示手段に表示されたメモリ送信対象のファイル番号を消去してメモリ送信を中止し、そのメモリ送信の相手先へ印刷用の誤送信メッセージを送信する誤送信メッセージ送信手段を設けたことを特徴とする通信装置。
【発明の詳細な説明】
【０００１】
【発明の属する技術分野】
この発明は、ファクシミリ装置等の通信装置に関する。
【０００２】
【従来の技術】
ファクシミリ装置等の通信装置の送信機能の１つにメモリ送信方式がある。
従来のメモリ送信方式では、ユーザが原稿をセットし、ファクシミリ番号を入力した後、スタートキーを押下すると、原稿の画像が読み取られてその画データがメモリに蓄積され、上記ファクシミリ番号の宛先へメモリ内の画データを自動的にファクシミリ送信するものであった。
このメモリ送信方式には、ユーザが所定の入力作業を行なった後は通信装置から立ち去ることができるという利点がある。
【０００３】
また、ファクシミリ送信する画データ中の送信相手先のファクシミリ番号を読み取り、そのファクシミリ番号に基づいて相手先との回線を接続し、上記画データをファクシミリ送信する通信装置（例えば、特開平６−２２１１４号公報参照）があった。
このような通信装置によれば、ユーザのファクシミリ番号の誤入力を防止すると共に入力操作の軽減を図ることができる。
【０００４】
【発明が解決しようとする課題】
しかしながら、上記のメモリ送信ではユーザがファクシミリ番号を誤入力した場合、誤った相手先へ画データが送信されてしまう。
また、上記の画データ中のファクシミリ番号に基づいて自動的にファクシミリ送信する通信装置でも、画データ中のファクシミリ番号が間違っていると、誤った相手先へ画データが送信されてしまう。
このように、ファクシミリ番号の間違いによるファクシミリ誤送信を完全に防止することは困難である。
【０００５】
ところで、上述した通信装置では、ユーザがメモリ送信を開始した後に相手先が間違っていることに気がついても、登録した画データのファイルを検索し、そのファイルを探し出した時点で削除することができるという中止段階に持っていくには作業量が多くてファクシミリ送信を迅速に中止できないという問題が有った。
【０００６】
また、画データを上記のようにメモリ送信するにしても直接ファクシミリ送信するにしてもその送信を中断した場合、ファクシミリ誤送信した相手先に対する対処手段が施されていないので、画データを誤って送ってしまった相手先へその旨を伝えたいときには、その旨を記載した原稿を用意してファクシミリ誤送信した相手先へファクシミリ送信しなければならなかったので、大変煩雑な作業で不便であった。また、誤入力したファクシミリ番号が判明しないときには相手先への連絡の術がなくなるので大変不便であるという問題もあった。
【０００７】
この発明は上記の点に鑑みてなされたものであり、間違った相手先へ画データを途中まで送ってしまったときに相手先へその旨を容易に伝えられるようにすることを目的とする。
【０００８】
【課題を解決するための手段】
この発明は上記の目的を達成するため、画データをメモリに一旦蓄積し、指定された相手先へ上記メモリ中の画データを送信するメモリ送信手段を備えた通信装置において、上記メモリに蓄積した画データのメモリ送信対象のファイル番号を表示する表示手段と、上記メモリ送信手段によるメモリ送信がスタートすると上記表示手段にメモリ送信対象のファイル番号を表示し、そのメモリ送信対象のファイル番号の画データのメモリ送信が開始された段階でメモリ送信を中断するストップキーが押下されるとメモリ送信を中断し、メモリ送信の中止を実行するファイル消去キーが押下されると、上記表示手段に表示されたメモリ送信対象のファイル番号を消去してメモリ送信を中止し、そのメモリ送信の相手先へ表示用の誤送信メッセージを送信する誤送信メッセージ送信手段を設けたものである。
【０００９】
また、画データをメモリに一旦蓄積し、指定された相手先へ上記メモリ中の画データを送信するメモリ送信手段を備えた通信装置において、上記メモリに蓄積した画データのメモリ送信対象のファイル番号を表示する表示手段と、上記メモリ送信手段によるメモリ送信がスタートすると上記表示手段にメモリ送信対象のファイル番号を表示し、そのメモリ送信対象のファイル番号の画データのメモリ送信が開始された段階でメモリ送信を中断するストップキーが押下されるとメモリ送信を中断し、メモリ送信の中止を実行するファイル消去キーが押下されると、上記表示手段に表示されたメモリ送信対象のファイル番号を消去してメモリ送信を中止し、そのメモリ送信の相手先へ印刷用の誤送信メッセージを送信する誤送信メッセージ送信手段を設けるとよい。
【００１１】
この発明による通信装置は、メモリ送信がスタートするとメモリ送信対象のファイル番号を表示し、そのメモリ送信対象のファイル番号の画データのメモリ送信が開始された段階でメモリ送信を中断するストップキーが押下されるとメモリ送信を中断し、メモリ送信の中止を実行するファイル消去キーが押下されると、上記表示されたメモリ送信対象のファイル番号を消去してメモリ送信を中止し、その画データの送信の相手先へ表示用の誤送信メッセージを送信するので、間違った相手先へのメモリ送信を迅速に中断し、その相手先の操作画面上に誤送信メッセージを表示させて相手先のユーザに誤送信である旨を伝えることができる。
【００１２】
また、メモリ送信がスタートするとメモリ送信対象のファイル番号を表示し、そのメモリ送信対象のファイル番号の画データのメモリ送信が開始された段階でメモリ送信を中断するストップキーが押下されるとメモリ送信を中断し、メモリ送信の中止を実行するファイル消去キーが押下されると、上記表示されたメモリ送信対象のファイル番号を消去してメモリ送信を中止し、その画データの送信の相手先へ印刷用の誤送信メッセージを送信するようにすれば、間違った相手先へのメモリ送信を迅速に中断し、その相手先で誤送信メッセージを用紙に印刷させて相手先のユーザに誤送信である旨を紙面上で伝えることができる。
【００１４】
【発明の実施の形態】
以下、この発明の実施の形態を図面に基づいて具体的に説明する。
図１は、この発明の通信装置の一実施形態であるファクシミリ装置の構成を示すブロック図である。このファクシミリ装置１は、公衆回線Ｌを介して相手先のファクシミリ装置２０とファクシミリ通信可能に接続されている。
【００１５】
ファクシミリ装置１は、プロッタ部２，スキャナ部３，メモリ４，データ出力部５，ネットワークコントロールユニット（ＮＣＵ）６，制御部７を有し、操作パネル８として操作画面部１０，ファイル番号表示部１１，ファイル番号選択キー１２，ファイル番号消去キー１３，ファイル番号表示ＯＮ・ＯＦＦキー１４，ストップキー１５，スタートキー１６，テンキー１７を備えている。
【００１６】
プロッタ部２は、画データを用紙に印刷するレーザ方式やインクジェット方式のプリンタである。スキャナ部３は、原稿に記載された画像を光学的に読み取ってその画データを入力する画像読取装置である。メモリ４は、メモリ送信時に画データを一時的に格納する記憶部である。
【００１７】
データ出力部５及び制御部７は、ＣＰＵ，ＲＯＭ，及びＲＡＭ等からなるマイクロコンピュータによって実現される機能部であり、データ出力部５は画データ及び誤送信メッセージデータを相手先へ送信する制御を司る。また、制御部７は、このファクシミリ装置全体の制御を司ると共に、この発明に係る各種の処理を実行する。ＮＣＵ６は、公衆回線Ｌを介した相手先のファクシミリ装置とのファクシミリ送信の制御を司る。
【００１８】
そして、操作パネル８上の操作画面部１０及びファイル番号表示部１１はＬＣＤ等のディスプレイであり、操作画面部１０はファクシミリ送信，メモリ送信又は直接通信の中止等のときの各種のメッセージを表示する画面である。ファイル番号表示部１１はメモリ４に登録されたメモリ送信対象の画データのファイル番号を表示する画面である。
【００１９】
また、ファイル番号選択キー１２はファイル番号表示部１１に表示させるファイル番号を選択入力する。ファイル消去キー１３はファイル番号選択キー１２によって選択されたファイル番号のファイルを消去してメモリ送信を取り止める入力を行なう。
【００２０】
ファイル番号表示ＯＮ・ＯＦＦキー１４はファイル番号表示部１１のファイル番号の表示又は未表示を切り換えて、つまり、ＯＮ入力はファイル番号を削除イネーブル状態にするファイル番号削除イネーブル入力であり、ＯＦＦ入力は通常のディセーブル入力である。
ストップキー１５は、メモリ送信及び直接送信の中止を入力する。スタートキー１６は、メモリ送信及び直接送信の開始を入力する。テンキー１７は相手先のファクシミリ番号等を入力する０〜９の番号キーを含む複数のキー群である。
【００２１】
一方、ファクシミリ装置２０は、ネットワークコントロールユニット（ＮＣＵ）２１，制御部２２，操作画面部２３，操作入力部２４，プロッタ部２５，スキャナ部２６を備えており、ＮＣＵ２１は公衆回線Ｌを介してファクシミリ装置１とのファクシミリ通信を制御する。制御部２２はこのファクシミリ装置全体の制御を司る。
【００２２】
また、操作画面部２３はファクシミリ通信時の各種のメッセージ，ファクシミリ装置１からのメモリ送信及び直接通信が中止されたときに送信される誤送信メッセージ等を表示するＬＣＤ等のディスプレイである。操作入力部２４はファクシミリ通信の各種の操作情報を入力する入力装置である。
【００２３】
さらに、プロッタ部２５は、画データ及びファクシミリ装置１から送信された誤送信メッセージを用紙に印刷するレーザ方式やインクジェット方式のプリンタである。スキャナ部２６は、原稿に記載された画像を光学的に読み取ってその画データを入力する画像読取装置である。
【００２４】
すなわち、上記制御部７とデータ出力部５とＮＣＵ６が、画データをメモリ４に一旦蓄積し、指定された相手先へメモリ４中の画データを送信するメモリ送信手段と、上記メモリ送信手段によるメモリ送信がスタートすると上記表示手段にメモリ送信対象のファイル番号を表示し、そのメモリ送信対象のファイル番号の画データのメモリ送信が開始された段階でメモリ送信を中断するストップキーが押下されるとメモリ送信を中断し、メモリ送信の中止を実行するファイル消去キーが押下されると、上記表示手段に表示されたメモリ送信対象のファイル番号を消去してメモリ送信を中止し、そのメモリ送信の相手先へ表示用又は印刷用の誤送信メッセージを送信する誤送信メッセージ送信手段の機能を果たす。
【００２５】
また、上記ファイル番号選択キー１２がメモリ４に蓄積した画データのメモリ送信対象のファイル番号を表示する表示手段に相当する。
【００２６】
次に、このファクシミリ装置１におけるファクシミリ通信時の処理について説明する。図２は、そのファクシミリ送信時の処理を示すフローチャートである。この処理は、ステップ（図中「Ｓ」で示す）１で原稿をセットし、ステップ２でメモリ送信か否かを判断して、メモリ送信ならステップ３へ進んでファクシミリ番号を入力し、ステップ４へ進んでメモリ送信をスタートする。
【００２７】
そして、ステップ５へ進んでメモリ送信のキャンセルか否かを判断して、キャンセルでなければステップ９へ進んで通常のメモリ送信を継続して行なって、この処理を終了する。
【００２８】
また、ステップ５の判断でキャンセルならステップ６でメモリ送信を中止して、ステップ７へ進んでファイル消去キーが押下されるとファイル番号を消去し、ステップ８へ進んで相手先へ表示用の誤送信メッセージを送信し、この処理を終了する。
【００２９】
さらに、ステップ２の判断でメモリ送信でないと判断したら、ステップ１０へ進んでファクシミリ番号を入力し、ステップ１１へ進んで直接送信をスタートし、ステップ１２へ進んで直接送信のキャンセルか否かを判断して、キャンセルでなければステップ１４へ進んで通常の直接送信を継続して行なって、この処理を終了する。また、ステップ１２の判断でキャンセルなら送信を中止し、ステップ１３へ進んで相手先へ表示用の誤送信メッセージを送信し、この処理を終了する。
【００３０】
さらにこの処理について説明する。図３乃至図５は、図１に示したファクシミリ装置１のメモリ送信中止時の操作説明に供する操作パネルの図である。
まず、予めファイル番号表示ＯＮ・ＯＦＦキー１４をＯＮ入力してファイル番号を削除イネーブル状態にする。この状態でちょうどファイル番号表示部１１にメモリ送信対象のファイル番号が表示され、削除イネーブル状態になる。
なお、通常は不用意に削除されないようにディセーブルにしておく。
【００３１】
ユーザは、スキャナ部３に原稿をセットした後、メモリ送信を選択して相手先のファクシミリ番号を入力し、図３に示す操作パネル８上のスタートキー１６を押下すると、メモリ送信がスタートして、その時点で原稿の画データをメモリ４に蓄積した後、自動的に相手先へファクシミリ送信を実行する。
【００３２】
メモリ送信がスタートすると、図３に示すように、操作画面部１０にはメモリ送信を途中でキャンセルするときのガイダンスメッセージを表示する。
また、予めファイル番号表示ＯＮ・ＯＦＦキー１４をＯＮに切り換えておくと、ファイル番号表示部１１にメモリ４内のメモリ送信対象の画データのファイル番号を表示する。
【００３３】
ユーザがメモリ送信が開始された段階でファクシミリ番号の誤入力に気付いたとき、ストップキー（中止キー）１５を押下するとメモリ送信が中断し、図４に示すように、操作画面部１０にメモリ送信を中止する対象のファイル番号を消去するときのガイダンスメッセージを表示する。
【００３４】
ユーザがファイル消去キー１３を押下すると、メモリ送信の中止を実行し、相手先へ表示用の誤送信メッセージを送信して、図５に示すように、操作画面部１０に指定されたファイル番号のメモリ送信を中止し、相手先へ誤送信メッセージを送信する旨を知らせるメッセージを表示する。
そして、ファイル番号表示部１１にはメモリ送信が中止されたファイル番号を消去し、次のメモリ送信対象のファイル番号を表示する。
【００３５】
一方、相手先のファクシミリ装置２０では、ファクシミリ装置１からのメモリ送信が中止されて、表示用の誤送信メッセージを受信するとそれを表示する。
図６は、図１に示したファクシミリ装置１がメモリ送信を中止したときに相手先のファクシミリ装置２０での操作パネル上の表示例を示す図である。
ファクシミリ装置２０は、同図に示すように、ファクシミリ装置１から受信した誤送信メッセージを操作画面部２３に表示してユーザに知らせる。
【００３６】
次に、ファクシミリ装置１はファクシミリ送信を中止したとき後、相手先へ印刷用の誤送信メッセージを送信して、相手先で用紙に印刷させるようにしてもよい。図７は図１に示したファクシミリ装置におけるその場合の処理を示すフローチャートであり、図２と共通する部分はその説明を省略する。
【００３７】
すなわち、この処理では上記ステップ１〜８の処理をステップ２１〜２８でそれぞれ行ない、ステップ２９へ進んで印刷用の誤送信メッセージを送信してこの処理を終了する。また、直接送信時には上記ステップ１０〜１３の処理をステップ３１〜３４でそれぞれ行ない、ステップ２９へ進んで印刷用の誤送信メッセージを送信してこの処理を終了する。
【００３８】
さらにこの処理について説明する。ユーザは、スキャナ部３に原稿をセットした後、メモリ送信を選択して相手先のファクシミリ番号を入力し、図３に示した操作パネル８上のスタートキー１６を押下すると、メモリ送信がスタートして、その時点で原稿の画データをメモリ４に蓄積した後、自動的に相手先へファクシミリ送信を実行する。
【００３９】
メモリ送信がスタートすると、図３に示したように、操作画面部１０にはメモリ送信を途中でキャンセルするときのガイダンスメッセージを表示する。
また、予めファイル番号表示ＯＮ・ＯＦＦキー１４をＯＮに切り換えておくと、ファイル番号表示部１１にメモリ４内のメモリ送信対象の画データのファイル番号を表示する。
【００４０】
ユーザがメモリ送信が開始された段階でファクシミリ番号の誤入力に気付いたとき、ストップキー（中止キー）１５を押下するとメモリ送信が中断し、図４に示したように、操作画面部１０にメモリ送信を中止する対象のファイル番号を消去するときのガイダンスメッセージを表示する。
【００４１】
ユーザがファイル消去キー１３を押下すると、メモリ送信の中止を実行し、相手先へ表示用及び印刷用の誤送信メッセージを送信して、図５に示したように、操作画面部１０に指定されたファイル番号のメモリ送信を中止し、相手先で誤送信メッセージを送信する旨を知らせるメッセージを表示及び印刷させる。
そして、ファイル番号表示部１１にはメモリ送信が中止されたファイル番号を消去し、次のメモリ送信対象のファイル番号を表示する。
【００４２】
一方、相手先のファクシミリ装置２０では、メモリ送信が中止されると共に表示用及び印刷用の誤送信メッセージを受信するとそれを表示及び印刷する。
図８は、図１に示したファクシミリ装置がメモリ送信を中止したときに相手先のファクシミリ装置２０での用紙上の印刷例を示す図である。
【００４３】
ファクシミリ装置２０は、図６に示したように、ファクシミリ装置１から受信した誤送信メッセージを操作画面部２３に表示してユーザに知らせると共に、図８に示すように、プロッタ部２５によって間違って送信して途中まで画データを印刷した用紙３０に誤送信メッセージ（図中一点鎖線枠３１で示す）を印刷して記録紙としても通知する。
【００４４】
このようにして、メモリ送信時に相手先を間違ったときには、メモリ送信を即座に中止させ、その間違った相手先へ謝罪文等の誤送信メッセージを表示させて相手先のユーザに誤送信の意思表示を確認させることができる。
また、誤送信メッセージを相手先で印刷させるようにし、相手先のユーザに誤送信の意思表示を紙面上で伝えることもできる。
【００４５】
さらに、メモリ送信後の中止機能を簡易的に且つ迅速に行ない、相手先の操作画面上に誤送信メッセージを表示、又はプロッタによって用紙に印刷させることにより、次の効果も得られる。
（１）ファイル番号の誤入力による対処に対応できる。
（２）ファンクション操作による煩雑なファイル番号検索を必要とせずにメモリ送信を中止するファイル番号を容易に探し出すことができ、且つ迅速に処理を行なえる。
【００４６】
（３）操作パネル上にファイル番号表示部を設けることにより、ユーザが自分で送信したファイル番号を容易に確認することができる。
（４）画データの送信先を間違ったとき、その相手先へ自動的に誤送信メッセージを送信することにより、相手先では送られてきた原稿が誤送信であることを容易に確認することができる。
（５）相手先で誤送信メッセージを用紙に印刷させることにより、相手先のユーザに送られてきた原稿が誤送信であることをより確実に知らせることができる。
【００４７】
次に、上記ファクシミリ装置１における画データの直接送信時の誤送信メッセージ送信の処理について説明する。この場合、上記画データを指定された相手先へ直接送信する直接送信手段と、中止指示が入力されたときに画データの送信を途中で中断する手段と、画データの送信を中断した後に、その画データの送信の相手先へ表示用又は印刷用の誤送信メッセージを送信する誤送信メッセージ送信手段の機能を果たす。
また、上記ストップキー１５が画データの送信を中止させる中止指示を入力する中止指示入力手段に相当する。
このようにして、画データを指定された相手先へ直接送信するとき、その中止指示が入力されると上記画データの送信を途中で中断し、その画データの送信を中断した後に相手先へ印刷用の誤送信メッセージを送信するようにすれば、間違った相手先への直関送信を迅速に中断し、その相手先の操作画面上に誤送信メッセージを表示させて相手先のユーザに誤送信である旨を伝えることができる。
【００４８】
さらにこの処理について説明する。図９及び図１０は、図１に示したファクシミリ装置１の直接送信中止時の操作説明に供する操作パネルの図である。
ユーザは、スキャナ部３に原稿をセットした後、直接送信を選択して相手先のファクシミリ番号を入力し、図９に示す操作パネル８上のスタートキー１６を押下すると、直接送信がスタートして、原稿の画像を読み取りながらその画データを逐次相手先へファクシミリ送信を実行する。
【００４９】
直接送信がスタートすると、図９に示すように、操作画面部１０には直接送信を途中でキャンセルするときのガイダンスメッセージを表示する。
ユーザが直接送信が開始された段階でファクシミリ番号の誤入力に気付いたとき、ストップキー１５を押下すると直接送信が中止し、図１０に示すように、直接送信中止と相手先へ誤送信メッセージを送信する旨を知らせるメッセージを表示する。
【００５０】
一方、相手先のファクシミリ装置２０では、ファクシミリ装置１からの直接送信が中止されると共に印刷用の誤送信メッセージを受信するとそれを印刷する。ファクシミリ装置２０は、ファクシミリ装置１から受信した誤送信メッセージを操作画面部２３に表示してユーザに知らせると共に、プロッタ部２５によって用紙に印刷して（例えば、図８に示した誤送信メッセージ）、記録紙としても通知する。
【００５１】
また、ファクシミリ装置１は直接送信を中止したときに相手先のファクシミリ装置２０へ表示用の誤送信メッセージを送信するようにしても良い。
そして、ファクシミリ装置２０は、ファクシミリ装置１から受信した誤送信メッセージを操作画面部２３に表示してユーザに知らせる。
【００５２】
このようにして、直接送信時に相手先を間違ったときには、直接送信を即座に中止させ、その間違った相手先へ謝罪文等の誤送信メッセージを印刷させて相手先のユーザに誤送信の意思表示を紙面上で伝えることができる。
【００５３】
さらに、直接送信後の中止機能を簡易的に且つ迅速に行ない、相手先の操作画面上に誤送信メッセージを表示、又はプロッタによって用紙に印刷させることにより、次の効果も得られる。
【００５４】
（１）ファクシミリ番号の誤入力による対処に対応できる。
（２）画データの送信先を間違ったとき、その相手先へ自動的に誤送信メッセージを送信することにより、相手先では送られてきた原稿が誤送信であることを容易に確認することができる。
（３）相手先で誤送信メッセージを用紙に印刷させることにより、相手先のユーザに送られてきた原稿が誤送信であることをより確実に知らせることができる。
【００５５】
なお、上記ファクシミリ装置１でメモリ送信を中止した時に印刷用の誤送信メッセージのみを相手先へ送信するようにしてもよい。
また、上記直接送信を中止した時の誤送信メッセージ送信機能を直接送信機能のみを有するファクシミリ装置等の通信装置に適用することができる。
【００５６】
【発明の効果】
以上説明してきたように、この発明による通信装置によれば、間違った相手先へ画データを途中まで送ってしまったときに相手先へその旨を容易に伝えられるようにすることができる。
【図面の簡単な説明】
【図１】この発明の通信装置の一実施形態であるファクシミリ装置の構成を示すブロック図である。
【図２】図１に示したファクシミリ装置におけるファクシミリ送信時の処理を示すフローチャートである。
【図３】図１に示したファクシミリ装置のメモリ送信中止時の操作説明に供する操作パネルの図である。
【図４】同じく図１に示したファクシミリ装置のメモリ送信中止時の操作説明に供する操作パネルの図である。
【図５】同じく図１に示したファクシミリ装置のメモリ送信中止時の操作説明に供する操作パネルの図である。
【図６】図１に示したファクシミリ装置がメモリ送信を中止したときに相手先の通信装置での操作パネル上の表示例を示す図である。
【図７】図１に示したファクシミリ装置におけるファクシミリ送信時の他の処理を示すフローチャートである。
【図８】図１に示したファクシミリ装置がメモリ送信を中止したときに相手先のファクシミリ装置での印刷例を示す図である。
【図９】図１に示したファクシミリ装置の直接送信中止時の操作説明に供する操作パネルの図である。
【図１０】同じく図１に示したファクシミリ装置の直接送信中止時の操作説明に供する操作パネルの図である。
【符号の説明】
１，２０：ファクシミリ装置
２，２５：プロッタ部
３，２６：スキャナ部      ４：メモリ
５：データ出力部
６，２１：ネットワークコントロールユニット（ＮＣＵ）
７，２２：制御部          ８：操作パネル
１０，２３：操作画面部
１１：ファイル番号表示部
１２：ファイル番号選択キー
１３：ファイル消去キー
１４：ファイル番号表示ＯＮ・ＯＦＦキー
１５：ストップキー        １６：スタートキー
１７：テンキー            ２４：操作入力部
【図１】
0003572145.tif 000002
【図２】
0003572145.tif 000003
【図３】
0003572145.tif 000004
【図４】
0003572145.tif 000005
【図５】
0003572145.tif 000006
【図６】
0003572145.tif 000007
【図７】
0003572145.tif 000008
【図８】
0003572145.tif 000009
【図９】
0003572145.tif 000010
【図１０】
0003572145.tif 000011